(57)【特許請求の範囲】
【請求項１】
光源と、一方が開口した有底筒状の筐体と、光反射部とを含み、
前記光源は、前記筐体の内部底面に配置され、
前記光反射部は、前記筐体の前記光源より開口側であって、その面方向の中心が、前記光源の面方向の中心を通り、且つ、前記光源の面方向に対する垂直方向の線上に位置し、
さらに、有底筒状の光源カバーを含み、
前記光源カバーは、その上部開口が前記光源を覆うように配置され、
前記光源カバーの底部は、前記光反射部を配置するための穴を有し、
前記光源カバーが、前記光反射部との接続部分にパッキンを含むことを特徴とする照明装置。
【請求項２】
前記光反射部が、略円錐状である、請求項１記載の照明装置。
【請求項３】
さらに、熱拡散部を含み、
前記熱拡散部は、前記筐体外部に、前記筐体の底面と接するように配置されている、請求項１または２記載の照明装置。
【請求項４】
前記光源が、ＬＥＤである、請求項１から３のいずれか一項に記載の照明装置。
【発明の詳細な説明】
【技術分野】
【０００１】
本発明は、照明装置に関する。
【背景技術】
【０００２】
体育館、工場等の天井に取り付ける高輝度なＨＩＤ（Ｈｉｇｈ  Ｉｎｔｅｎｓｉｔｙ  Ｄｉｓｃｈａｒｇｅ）ランプが各種提案されている（例えば、特許文献１および２参照）。
【先行技術文献】
【特許文献】
【０００３】
【特許文献１】特開２０１０−１０２８９１号公報
【特許文献２】特開２００４−２８８５９７号公報
【発明の概要】
【発明が解決しようとする課題】
【０００４】
一方、近年、ＨＩＤランプ代替用の発光ダイオード（ＬＥＤ）を用いた照明装置の研究が進んでいる。しかしながら、高輝度のＬＥＤ照明装置は、狭い面積から強い光を発するため、人が真下に入りこんだときに、眩しく感じてしまうという問題がある。眩しさを軽減する手法として、ＬＥＤを有底筒状筐体の側面に配置するという方法があるが、この場合、前記筐体の周方向において、少なくとも４箇所にＬＥＤを配置する必要があり、作業効率が低下する。
【０００５】
そこで、本発明は、眩しさを軽減可能な照明装置を提供することを目的とする。
【課題を解決するための手段】
【０００６】
前記目的を達成するために、本発明の照明装置は、
光源と、一方が開口した有底筒状の筐体と、光反射部とを含み、
前記光源は、前記筐体の内部底面に配置され、
前記光反射部は、前記筐体の前記光源より開口側であって、その面方向の中心が、前記光源の面方向の中心を通り、且つ、前記光源の面方向に対する垂直方向の線上に位置することを特徴とする。
【発明の効果】
【０００７】
本発明によれば、眩しさを軽減可能な照明装置を提供することができる。
【図面の簡単な説明】
【０００８】
【図１】図１（Ａ）は、本発明の照明装置の構成の一例を示す斜視図であり、図１（Ｂ）は、図１（Ａ）に示す照明装置のＩ−Ｉ方向から見た断面図である。
【図２】図２（Ａ）〜（Ｆ）は、光反射部の形状のバリエーションを示す斜視図である。
【図３】図３は、光源の設置面積と光反射部の大きさとの関係の一例について説明する図である。
【発明を実施するための形態】
【０００９】
以下、本発明の照明装置について、図面を参照して詳細に説明する。ただし、本発明は、以下の説明に限定されない。また、図面においては、説明の便宜上、各部の構造は適宜簡略化して示す場合があり、各部の寸法比等は、実際とは異なり、模式的に示す場合がある。
【００１０】
図１（Ａ）は、本発明の照明装置の構成の一例を示す斜視図である。図１（Ｂ）は、図１（Ａ）に示す照明装置のＩ−Ｉ方向から見た断面図である。図１（Ａ）および（Ｂ）に示すように、この照明装置１０は、光源１１と、一方が開口した有底筒状の筐体１２と、光反射部１３とを含む。光源１１は、筐体１２の内部底面に配置されている。光反射部１３は、筐体１２の光源１１より開口側であって、その面方向の中心が、光源１１の面方向の中心を通り、且つ、光源１１の面方向に対する垂直方向の線上に位置する。図１には、筐体１２の開口が円形である照明装置１０を例示しているが、前記開口は、矩形等、他の形状であってもよい。図１に示す照明装置１０は、さらに、熱拡散部１４を含む。熱拡散部１４は、筐体１２外部に、筐体１２の底面１２ａと接するように配置されている。ただし、本発明の照明装置１０において、熱拡散部１４は、任意の構成部材である。本発明の照明装置１０は、熱拡散部１４を有することが好ましいが、有さなくともよい。
【００１１】
光源１１としては、特に制限するものではないが、例えば、ＬＥＤ、ＬＤ（Ｌａｓｅｒ  Ｄｉｏｄｅ）、有機ＥＬ（Ｏｒｇａｎｉｃ  Ｅｌｅｃｔｏｒｏ−Ｌｕｍｉｎｅｓｃｅｎｃｅ）、無機ＥＬ（Ｉｎｏｒｇａｎｉｃ  Ｅｌｅｃｔｏｒｏ−Ｌｕｍｉｎｅｓｃｅｎｃｅ）等があげられ、これらの中でも、ＬＥＤが好ましい。ＬＥＤは、特に限定されず、従来公知のものを使用できるが、白色ＬＥＤであることが好ましい。光源１１は、例えば、シリコーン樹脂等に内包され、前記シリコーン樹脂中に蛍光体が分散されていてもよい。このような態様においては、例えば、光源１１を、青色ＬＥＤとし、前記蛍光体を、黄色蛍光体または赤・緑蛍光体の組み合わせとすることで、白色光を得ることができる。また、光源１１を、近紫外ＬＥＤ（ＵＶ−ＬＥＤ）とし、前記蛍光体を、赤・緑・青蛍光体の組み合わせ（ＲＧＢ蛍光体）とすることでも、白色光を得ることができる。
【００１２】
図１（Ｂ）に示すように、筐体１２は、底面１２ａおよび２つのリフレクタ１２ｂで構成されている。底面１２ａおよび２つのリフレクタ１２ｂは、図１（Ｂ）に示すように、複数の部材で構成されていてもよいし、一体成型されていてもよい。
【００１３】
底面１２ａの形成材料としては、金属板が好ましい。前記金属板の板厚は、特に限定されないが、例えば、２〜３ｍｍである。前記金属としては、例えば、アルミニウムおよびその合金、マグネシウムおよびその合金、鉄およびその合金、銅およびその合金、チタンおよびその合金等があげられる。マグネシウムおよびその合金を用いれば、より軽量化することが可能となる。鉄およびその合金を用いれば、製造コストをより低減可能となる。銅およびその合金を用いれば、放熱特性をより向上可能となる。チタンおよびその合金を用いれば、強度をより向上可能となる。
【００１４】
リフレクタ１２ｂの形成材料としては、例えば、アルミニウムおよびその合金、マグネシウムおよびその合金等の金属；ポリカーボネート（ＰＣ）、ポリブチレンテレフタレート（ＰＢＴ）等の樹脂；等があげられる。リフレクタ１２ｂとしては、例えば、反射面にメッキ、高反射塗料の塗布等の高反射加工を施すことで、反射効率を向上させたものを用いることが好ましい。リフレクタ１２ｂの断面形状は、図１（Ｂ）に例示するような円弧状であってもよいし、直線状であってもよい。リフレクタ１２ｂは、例えば、押出成形等により製造可能である。
【００１５】
筐体１２の開口面積は、図１（Ｂ）に例示するように、底面１２ａの面積より大きくてもよいし、底面１２ａと同じであってもよい。
【００１６】
光反射部１３の形成材料としては、特に限定されず、照射された光の大部分を透過せず、反射する材料であればいかなるものであってもよいが、例えば、アルミニウム、光反射率の高い樹脂（例えば、ＰＣ、ポリエチレンテレフタレート（ＰＥＴ）等）等があげられる。光反射部１３の形状は、光源１１が発した光の一部を、リフレクタ１２ｂ方向へと反射可能な形状であれば特に限定されず、例えば、図１（Ｂ）に示す略円錐状である。また、光反射部１３は、例えば、図２（Ａ）〜（Ｆ）に示す形状であってもよく、これら以外の形状であってもよい。光反射部１３は、例えば、押出成形等により製造可能である。
【００１７】
前述のとおり、光反射部１３は、筐体１２の光源１１より開口側であって、その面方向の中心が、光源１１の面方向の中心を通り、且つ、光源１１の面方向に対する垂直方向の線上に位置する。光源１１から光反射部１３上端までの距離は、例えば、０ｃｍを超えて５０ｃｍ以下、１ｃｍ〜１０ｃｍ、２ｃｍ〜５ｃｍである。
【００１８】
図３を用いて、光源１１の設置面積と光反射部１３の大きさとの関係の一例について説明する。光反射部１３は、光源１１の面方向の中心と光反射部１３の面方向の中心とを結ぶ線上において、光反射部１３を介して光源１１を見たときに、光反射部１３による光源１１の発する光の遮蔽率（図３における光源１１を示す円１１ａの面積に占める光反射部１３を示す円１３ａの面積の割合）が、例えば、９０％〜１５０％、９０％〜１１０％となる大きさである。前記遮蔽率は、光源１１と光反射部１３との間の距離が長いほど、より小さな光反射部１３でも高くなる。このため、光反射部１３の大きさは、光源１１の設置面積、光源１１と光反射部１３との間の距離等に応じて、適宜調整することが好ましい。なお、図３においては、わかりやすさを考慮して円１３ａを黒塗りとしているに過ぎず、光反射部１３の色を黒に限定するものではなく、また、光源１１および光反射部１３下部の形状を円に限定するものでもない。
【００１９】
光反射部１３は、前記線上に位置すればよく、その配置方法は特に限定されないが、例えば、図１（Ｂ）に示すように、光源１１を覆う光透過性の光源カバー１５に配置されることが好ましい。光源カバー１５の形成材料としては、例えば、ＰＣ、アクリル、ガラス等があげられる。光源カバー１５は、例えば、押出成形等により製造可能である。光源カバー１５は、パッキン１６を含むことが好ましい。光源カバー１５にパッキン１６を含ませれば、照明装置１０の防水性を、より高めることができる。
【００２０】
熱拡散部１４の形成材料としては、例えば、底面１２ａの形成材料と同様の金属等があげられる。また、熱拡散部１４の形成材料は、例えば、高熱伝導性フィラーを含有させた樹脂でもよい。前記樹脂としては、例えば、ＰＢＴ、ＰＥＴ、ＰＣ、ポリアミド（ＰＡ）、ポリフェニレンサルファイド（ＰＰＳ）、ポリメタクリル酸メチル（ＰＭＭＡ）等があげられる。さらに、熱拡散部１４の形成材料は、例えば、グラファイトまたは炭素繊維等と、アルミニウムまたは銅等の金属との複合材料でもよい。図１には、円柱状の熱拡散部１４を例示したが、熱拡散部１４は、熱拡散性を高めるために、例えば、羽根（フィン）を有する形状等としてもよい。熱拡散部１４は、例えば、押出成形等により製造可能である。
【００２１】
前述の構成部材を、例えば、接着、溶着、ネジ止め、リベット止め（カシメ止め）等の従来公知の方法で組み合わせることで、本発明の照明装置１０を得ることができる。
【００２２】
本発明の照明装置１０では、光源１１が発した光の一部は、光反射部１３によってリフレクタ１２ｂ方向へと反射され、さらに、リフレクタ１２ｂによって筐体１２の開口方向へと反射されて、筐体１２の開口から外部へと導出される。このため、本発明の照明装置１０によれば、光源１１の面方向に対する垂直方向への直線的な光の導出が抑制され、その結果、眩しさを軽減することが可能である。
【００２３】
本発明の照明装置１０は、いかなる用途に用いてもよく、例えば、従来のＨＩＤランプを代替するものとして、体育館、工場等の天井に取り付けるダウンライトまたはペンダントライト、若しくは、投光器等としても利用できる。
【００２４】
以上、実施形態を参照して本発明を説明したが、本発明は、上記実施形態に限定されるものではない。本発明の構成や詳細には、本発明のスコープ内で当業者が理解しうる様々な変更をすることができる。
【産業上の利用可能性】
【００２５】
本発明によれば、眩しさを軽減することが可能な照明装置を提供することができる。本発明の照明装置は、幅広い用途に用いることが可能である。
【符号の説明】
【００２６】
１０    照明装置
１１    光源
１２    筐体
１２ａ  底面
１２ｂ  リフレクタ
１３    光反射部
１４    熱拡散部
１５    光源カバー
１６    パッキン
【図１】
0006605261.tif 000002
【図２】
0006605261.tif 000003
【図３】
0006605261.tif 000004